(57)【特許請求の範囲】
【請求項１】
第１及び第２の端子と、電子部品と、前記第１及び第２の端子と前記電子部品とをそれぞれ接続する導体パターン及びＧＮＤ導体パターンと、を備えた配線板の静電気放電構造であって、
前記導体パターンにおける前記電子部品から離れた一部位に、他の部位よりも、パターン幅が狭く前記ＧＮＤ導体パターンに近接する放電部を設け、
前記ＧＮＤ導体パターンが前記第２の端子を介してＧＮＤに接続され、前記導体パターンに前記第１の端子を介して静電気が印加された際に、前記放電部から前記ＧＮＤ導体パターンに前記静電気を放電させる構成にしたことを特徴とする配線板の静電気放電構造。
【請求項２】
前記放電部は、前記ＧＮＤ導体パターンに最も近接する唯一つの頂部と、該頂部に対して前記電子部品側と前記第１の端子側とからそれぞれ延出して前記頂部に連結する一対の連結部と、を有するエッジとして形成されていることを特徴とする請求項１記載の配線板の静電気放電構造。
【請求項３】
当該配線板は、前記ＧＮＤ導体パターンにおける前記頂部と対向する位置に、前記ＧＮＤ導体パターンと接続されたスルーホールを有することを特徴とする請求項２記載の配線板の静電気放電構造。
【請求項４】
当該配線板は、前記放電部における前記頂部に、前記導体パターンと接続されたスルーホールを有することを特徴とする請求項３記載の配線板の静電気放電構造。
【請求項５】
前記放電部は、前記導体パターンにおける前記第１の端子の近傍に設けられていることを特徴とする請求項１乃至４のいずれか１項に記載の配線板の静電気放電構造。
【発明の詳細な説明】
【０００１】
【発明の属する技術分野】
本発明は、コネクタ端子と電子部品との間を導体パターンにより接続した配線板の静電気放電構造に係り、特に、導体パターンに印加された静電気を電子部品の前段側にて確実にＧＮＤラインに逃がすことができる放電経路を持つ配線板の静電気放電構造に関する。
【０００２】
【従来の技術】
図４は従来における配線板の静電気放電構造を説明する電子回路の一例を示している。
【０００３】
図４に示す従来例では、ＥＣＵ１０１をバッテリー１０２で駆動させる駆動回路が形成され、また、人体Ｐが帯電している場合において、操作スイッチ部１０３（Ｅ点），１０４のうち、例えばＥ点へ人体Ｐから静電気が放電されることがある。このＥ点への静電気の放電がなされた場合、コネクタ端子１０５（Ｄ点）及びそのランド１０５ａを介してＥＣＵ１０１内に伝わり、ＥＣＵ１０１内のインピーダンスの低い所、例えば、ＥＣＵ１０１内プリント基板の導体パターン上でＡ点からこのＡ点と近接しているＢ点やＣ点へと放電する。これによりＥＣＵ１０３の制御中枢をなすマイコン１０６が破損する。そこで、従来は、次のような対策を採っていた。
【０００４】
（１）Ａ点の前段側にコンデンサを入れ、静電気を吸収する。
【０００５】
（２）図５に示すように、静電気が印加されるコネクタ端子１０５に近接するＧＮＤ導体パターン１０７のレジストを抜き、レジスト抜き箇所１０８を利用して放電経路１０９からＧＮＤ導体パターン１１０へと放電させるようにする。
【０００６】
【発明が解決しようとする課題】
しかしながら、上記（１）の対策を採った場合には、対策にコストがかかるという問題があった。
【０００７】
また、上記（２）の対策を採った場合には、ＥＣＵ内のインピーダンスの低い所での放電が優先されてコネクタ端子１０５（Ｄ点）及びそのランド１０５ａから放電経路２０４へ放電しない場合があり、この場合にはマイコンを破損させることになるという問題があった。
【０００８】
本発明は上記の事情に鑑み、導体パターンに印加された静電気を電子部品の前段側にて確実にＧＮＤラインに逃がすことができる放電経路を持つ配線板の静電気放電構造を提供することを目的としている。
【０００９】
【課題を解決するための手段】
上記の目的を達成するために本発明は、次の（１）乃至（５）に示す配線板の静電気放電構造を提供する。
（１）第１及び第２の端子と、電子部品と、前記第１及び第２の端子と前記電子部品とをそれぞれ接続する導体パターン及びＧＮＤ導体パターンと、を備えた配線板の静電気放電構造であって、
前記導体パターンにおける前記電子部品から離れた一部位に、他の部位よりも、パターン幅が狭く前記ＧＮＤ導体パターンに近接する放電部を設け、
前記ＧＮＤ導体パターンが前記第２の端子を介してＧＮＤに接続され、前記導体パターンに前記第１の端子を介して静電気が印加された際に、前記放電部から前記ＧＮＤ導体パターンに前記静電気を放電させる構成にしたことを特徴とする配線板の静電気放電構造。
【００１０】
（２）前記放電部は、前記ＧＮＤ導体パターンに最も近接する唯一つの頂部と、該頂部に対して前記電子部品側と前記第１の端子側とからそれぞれ延出して前記頂部に連結する一対の連結部と、を有するエッジとして形成されていることを特徴とする（１）に記載の配線板の静電気放電構造。
【００１１】
（３）当該配線板は、前記ＧＮＤ導体パターンにおける前記頂部と対向する位置に、前記ＧＮＤ導体パターンと接続されたスルーホールを有することを特徴とする（２）に記載の配線板の静電気放電構造。
【００１２】
（４）当該配線板は、前記放電部における前記頂部に、前記導体パターンと接続されたスルーホールを有することを特徴とする（３）に記載の配線板の静電気放電構造。
【００１３】
（５）前記放電部は、前記導体パターンにおける前記第１の端子の近傍に設けられていることを特徴とする（１）乃至（４）のいずれかに記載の配線板の静電気放電構造。
【００２０】
【発明の実施の形態】
以下、本発明に係る配線板の静電気放電構造の実施形態について図面に基づいて詳細に説明する。
【００２１】
図１は本発明に係る配線板の静電気放電構造が適用される箇所の一例を示す図であり、図２は本発明の一実施形態の概略構成図、図３は本発明の他の一実施形態の概略構成図である。
【００２２】
この配線板の静電気放電構造は、コネクタ端子とマイコン等の電子部品との間を導体パターンにより接続した配線板に適用されるものであり（図５参照）、図１に示すように、静電気が帯電された人体Ｐが操作スイッチ部１に近接または接触したときにコネクタ端子２を介して静電気が印加される導体パターン３にインピーダンスを高めた箇所ＨＤを設け、このインピーダンスを高めた箇所ＨＤと、この箇所ＨＤ近傍に配線されているＧＮＤ導体パターン４とを近接させて放電経路５を形成することにより、マイコンに静電気が放電されないようにする。なお、ＧＮＤ導体パターン４は、コネクタ端子２Ａを介してＧＮＤに接続している。
【００２３】
本発明の実施の形態では、図２に示すように、放電経路５は、コネクタ端子２，２Ａの各ランド６の近傍において、導体パターン３のインピーダンスを高めた箇所ＨＤのエッジ７と、ＧＮＤ導体パターン４に接続したスルーホール８との組合せで形成している。
【００２４】
本発明の他の一実施形態では、図３に示すように、放電経路５は、コネクタ端子２，２Ａの各ランド６の近傍において、導体パターン３のインピーダンスを高めた箇所ＨＤに接続したスルーホール９と、ＧＮＤ導体パターン４に接続したスルーホール１０との組合せで形成している。
【００２５】
そして、放電経路５を形成するために用いるエッジ７とスルーホール８の組合せや、スルーホール９，１０の組合せは、プリント基板で代表される配線板上の導体パターンの形成状態に応じて適宜選定できる。
【００２６】
また、コネクタ端子２，２Ａの各ランド６の近傍を対象として、スルーホール８，９，１０を設ける都合上、スルーホール８，１０には、ランド全体に予めレジストを被覆し、フロー半田付け時にスルーホール８，１０が半田で埋まらないようにしておくとよいものである。
【００２７】
このように本発明の各実施形態では、コネクタ端子２，２Ａの各ランド６の近傍を対象として、導体パターン３にインピーダンスを高めた箇所ＨＤを設け、この箇所ＨＤとＧＮＤ導体パターン４との間を放電経路５により近接させている。
【００２８】
このため、導体パターン３のインピーダンスを高めた箇所ＨＤとＧＮＤ導体パターン４との間においては、放電経路５により近接させた状態で、静電気に起因する放電がし易い状態となるので、導体パターン３に静電気が印加されると同時に放電が開始される。
【００２９】
しかも、放電経路５の形成箇所は、マイコンから離れた前段側であるため、導体パターン３に印加された静電気をマイコンの前段側にて確実にＧＮＤライン（ＧＮＤ導体パターン４）に逃がすことができ、マイコンに静電気が放電される状態になるのを未然に回避できる。
【００３０】
【発明の効果】
以上の説明から明らかなように、本発明によれば、導体パターンに印加された静電気を電子部品の前段側にて確実にＧＮＤラインに逃がすことができる放電経路を持つ配線板の静電気放電構造を提供することができる。
【図面の簡単な説明】
【図１】本発明に係る配線板の静電気放電構造が適用される箇所の一例を示した図である。
【図２】本発明の一実施形態の概略構成図である。
【図３】本発明の他の一実施形態の概略構成図である。
【図４】静電気対策を施す理由を説明するために用いた配線板の一例図である。
【図５】従来の静電気対策の手法の一例を説明するために用いた図である。
【符号の説明】
１  操作スイッチ部
２，２Ａ  コネクタ端子
３  静電気が印加される導体パターン
４  ＧＮＤ導体パターン
５  放電経路
６  ランド
７  エッジ
８，９，１０  スルーホール
ＨＤ  インピーダンスを高めた箇所
【図１】
0004074728.tif 000002
【図２】
0004074728.tif 000003
【図３】
0004074728.tif 000004
【図４】
0004074728.tif 000005
【図５】
0004074728.tif 000006